(57)【要約】【課題】不正な開放が行われた場合には開放痕が確実に残るようにするとともに、修理・保守の場合にはケースを容易に開放できるようにする。【解決手段】遊技中における演出を制御するための演出制御機器（サブ制御基板）１５０と、演出制御機器１５０を内部に収容する収容体（制御カバー）２１０とを備える遊技機の制御装置であって、収容体２１０を封止するとともに、収容体２１０を開放するための封止解除操作が可能な収容体封止部（封止部２１７及びネジＳ）と、収容体封止部の封止解除操作を阻止するように収容体封止部を覆うとともに、外部からの操作によって取り外すことができないように装着され、収容体封止部を覆った部分を痕跡が残るように変形させなければ収容体封止部の封止解除操作を行うことができないように形成された封止解除阻止部材（キャップ）２４０とを備える。【選択図】　　　　図１４
2004113526.tif 000002
【特許請求の範囲】
【請求項１】
遊技中における演出を制御するための演出制御機器と、
前記演出制御機器を内部に収容する収容体と
を備える遊技機の制御装置であって、
前記収容体を封止するとともに、前記収容体を開放するための封止解除操作が可能な収容体封止部と、
前記収容体封止部の封止解除操作を阻止するように前記収容体封止部を覆うとともに、外部からの操作によって取り外すことができないように装着され、前記収容体封止部を覆った部分を痕跡が残るように変形させなければ前記収容体封止部の封止解除操作を行うことができないように形成された封止解除阻止部材と
を備えることを特徴とする遊技機の制御装置。
【発明の詳細な説明】
【０００１】
【発明の属する技術分野】
本発明は、遊技を制御するための制御機器のうち、遊技中における演出を制御するための演出制御機器を収容体に収容した遊技機の制御装置に関し、収容体の不正開放を禁止する技術に関するものである。
【０００２】
【従来の技術】
従来の弾球遊技機やスロットマシン等の遊技機において、出玉に関する制御は、メイン制御基板によって行われている。したがって、メイン制御基板や、このメイン制御基板に実装されている制御ＲＯＭは、正規品以外のものの使用を禁止することが要求される。このため、メイン制御基板はケース内に収容されるとともに、ケースの不正開放を禁止するための種々の手段が講じられている。
例えば第１例として、緩める方向に回らないワンウエイネジを用いて基板ケースを封止する（メイン制御基板をケース内に封印後、ケースをかしめたもの）が知られている（例えば、特許文献１参照）。
【０００３】
また第２例として、メイン制御基板をケース内に収容した後に、ケースの開閉部分に封印シールを貼付し、ケースを開放したときには、封印シールが破壊されるようにすることで、開放痕が残るようにしたものが知られている（例えば、特許文献２参照）。
【０００４】
【特許文献１】
特開平１１−２２６２２０号公報
【特許文献２】
特開２００１−２２８８００号公報
【０００５】
【発明が解決しようとする課題】
しかし、近年の遊技機では、メイン制御基板以外にも、出玉に関する制御を実質的に行うサブ制御基板が設けられる場合がある。したがって、たとえメイン制御基板を開放痕が残るケースに収容しても、サブ制御基板や、サブ制御基板に実装されている制御ＲＯＭが正規品以外のものに交換されるおそれがあるという問題があった。
【０００６】
そこで、サブ制御基板についても、メイン制御基板と同様にケース内に収容して、ケースの開放を禁止することが考えられる。
しかし、メイン制御基板及びサブ制御基板のいずれにおいても、第１例のようにワンウエイネジを用いても特殊な手段を用いてワンウエイネジに損傷を与えることなく取り外し、不正改造後に取り外したワンウエイネジを元の位置に締結し直すことで一見しただけでは不正行為を発見することができない事象が報告されている。また、第２例のように、封印シールを貼付したものでは、封印シールをカッター等で精密に切断されると、開放痕を十分に目立たせることができないという問題がある。
このため、修理・保守の場合には、比較的容易にケースを開放することができるとともに、不正な開放を確実に牽制することができる技術が強く要請されている。
【０００７】
したがって、本発明が解決しようとする課題は、不正な開放が行われた場合には開放痕が確実に残るようにするとともに、修理・保守の場合にはケースを容易に開放できるようにすることである。
【０００８】
【課題を解決するための手段】
本発明は、以下の解決手段によって、上述の課題を解決する。なお、以下の解決手段中に示すかっこ書は、その解決手段が対応する本実施形態中の構成要素である。
本発明は、遊技中における演出を制御するための演出制御機器（サブ制御基板１５０）と、前記演出制御機器を内部に収容する収容体（制御ベース１８０及び制御カバー２１０）とを備える遊技機の制御装置（制御装置５０）であって、前記収容体を封止するとともに、前記収容体を開放するための封止解除操作が可能な収容体封止部（制御カバー２１０の封止部２１７、収容ケース１２０のボス１３２、及びネジＳ）と、前記収容体封止部の封止解除操作を阻止するように前記収容体封止部を覆うとともに、外部からの操作によって取り外すことができないように装着され、前記収容体封止部を覆った部分を痕跡が残るように変形させなければ前記収容体封止部の封止解除操作を行うことができないように形成された封止解除阻止部材（キャップ２４０又は２４０’）とを備えることを特徴とする。
【０００９】
本発明においては、演出制御機器は、収容体封止部により開放可能に収容体内に収容される。また、演出制御機器の収容体への収容後は、封止解除阻止部材により収容体封止部の封止解除操作を阻止するように収容体封止部が覆われ、収容体封止部の封止解除操作が阻止（禁止）される。そして、封止解除阻止部材を痕跡が残るように変形させない限り、収容体封止部の封止解除操作を行うことができない状態となる。
【００１０】
したがって、封止解除阻止部材が変形しているか否かを見ることで、収容体封止部の封止解除操作を行ったか否か（収容体を開放したか否か）を確実に判別することができる。また、収容体封止部の封止解除操作を行う必要があるとき（修理・保守時に収容体を開放する必要があるとき）には、封止解除阻止部材を痕跡が残るように変形させることにより、封止解除操作を容易に行うことができる。
【００１１】
【発明の実施の形態】
以下、図面等を参照して、本発明の一実施形態について説明する。
図１は、本発明による遊技機の一実施形態であるスロットマシン１全体を示す前面の正面図である。また、図２は、図１中、スロットマシン１のフロントマスク部２０を開放し、筐体１０の内部が見えるように図示した正面図である。
（遊技機（スロットマシン））
図１及び図２に示すように、スロットマシン１の筐体１０は、基体部３０と、基体部３０の前面に取り付けられるフロントマスク部２０とから構成されている。
【００１２】
フロントマスク部２０は、基体部３０の前面を開閉可能に取り付けられ、筐体１０の前面部を構成するものである。
フロントマスク部２０は、図１に示すように、前面側（遊技者側）に、遊技の進行上必要なスタートスイッチ３０１やストップスイッチ３０２等の操作部や、メダル投入口３０３、メダル受け皿３０４等が配置されている。また、フロントマスク部２０の前面上側には、開口部２２が形成されているとともに、この開口部２２には、図２に示すように、フロントマスク部２０の裏面側から制御装置５０が取り付けられている。そして、開口部２２から、制御装置５０の画像表示面（後述する液晶Ａｓｓｙ６０の画像表示面）が見えるように配置されている。
【００１３】
なお、図１に示すように、開口部２２の両側には、複数の長穴を並設した開口部２３が形成されている。また、図２に示すように、この開口部２３の裏面側には、スピーカ３１０が取り付けられている。
【００１４】
一方、基体部３０は、木材等を組み立てて前面が開口されたものである。この基体部３０の内部には、メイン制御基板３０６、リールユニット３０５、メダルを貯留しておくホッパーを含むメダル払出し装置３０８、及び電源ユニット３０９等がそれぞれ所定位置に配置されている。
【００１５】
本実施形態のリールユニット３０５は、並設された３つのリール３０５ａを備え、この位置に対応するフロントマスク部２０の中央部には、透明な表示窓２１が設けられている。そして、この表示窓２１から３つのリール３０５ａが透視できるように構成されている。また、メイン制御基板３０６は、遊技の進行等、遊技全体を統括制御するための制御基板であり、図示しないが、演算等を行うＣＰＵ、遊技プログラムを記憶したＲＯＭ、及びデータを一時的に記憶するＲＡＭ等を備えるものである。メイン制御基板３０６は、リールユニット３０５の上方に配置されており、ケース３０７内に収容されている。ケース３０７は、メイン制御基板３０６を収容した後にかしめられており、メイン制御基板３０６を封印している。
【００１６】
（制御装置）
制御装置５０は、遊技の進行を制御するための装置であるが、特に本実施形態では、遊技の進行に伴い、遊技中に出力する演出を制御するための装置である。図３は、制御装置５０を分解して示す外観斜視図である。
【００１７】
制御装置５０は、液晶アッセンブリ（以下、「液晶Ａｓｓｙ」という。）６０と、収容ケース１２０と、制御ベース１８０と、サブ制御基板１５０と、制御カバー２１０とから構成されている。なお、図３では、制御装置５０の液晶Ａｓｓｙ６０の左側前方面が画像表示面であり、この面が、図１中、フロントマスク部２０の開口部２２から露出している。
以下、制御装置５０について、液晶Ａｓｓｙ６０、収容ケース１２０、制御ベース１８０、サブ制御基板１５０及び制御カバー２１０について説明する。
【００１８】
（液晶Ａｓｓｙ）
図３に示すように、液晶Ａｓｓｙ６０は、前方側（図中、左前側）に設けられた液晶本体６１と、後方側（収容ケース１２０側）に設けられた液晶ケース６２とを備え、略箱形に形成されている。また、図示しないが、液晶Ａｓｓｙ６０の内部には、各部品を固定するベース部材や、液晶制御基板等が収容されている。液晶本体６１は、表示器として液晶を用いたディスプレイであり、表面がほぼ長方形状をなす薄板状に形成され、液晶Ａｓｓｙ６０の前面を構成するように配置されている。
また、液晶Ａｓｓｙ６０の上面前側には、図３に示すように、複数の穴を並設した空気穴６３が設けられている。なお、図３では図示していないが、空気穴６３は、下面側にも同様に設けられており、液晶本体６１から発せられる熱を上下方向に逃がすためのものである。
さらにまた、上面及び下面には、それぞれ２箇所に円筒状のボス６４が設けられている（図３では、上面の２箇所のボス６４のみが図示されている）。このボス６４の中心部にはネジ穴６４ａが形成されている。
【００１９】
また、液晶ケース６２の上面には、ファン穴６２ａが形成されている。ここで、液晶Ａｓｓｙ６０の内部には、ファン（図示せず）が実装されている。そして、このファンの上部にファン穴６２ａが配置されるように構成されている。また、図示しないが、液晶ケース６２の下面には、ファン穴６２と対向する位置に空気穴（後述する図８で示す空気穴６５）が形成されている。これにより、液晶Ａｓｓｙ６０では、内部に実装されたファンが回転されると、液晶ケース６２の下面の空気穴から内部に空気を取り込むとともに、上面のファン穴６２ａから排出されることで、冷却が行われる。
【００２０】
（収容ケース）
収容ケース１２０は、液晶Ａｓｓｙ６０を内部に収容可能なように、図３中、前面側（液晶Ａｓｓｙ６０側）が開口されたものである。
図４は、収容ケース１２０をより詳細に示す図であり、（Ａ）は側面図、（Ｂ）は正面図を示す。
収容ケース１２０は、正面壁１２０ａ、上壁１２０ｂ、下壁１２０ｃ、左側壁１２０ｄ及び右側壁１２０ｅを備える。
【００２１】
正面壁１２０ａには、開口部１２２及び１２３が形成されている。これらの開口部１２２及び１２３は、液晶Ａｓｓｙ６０が内部に収容されたときに、液晶Ａｓｓｙ６０の背面に露出しているコネクタ（図示せず）をそれぞれ露出させるためのものである。したがって、収容ケース１２０に液晶Ａｓｓｙ６０が収容されたときに、液晶Ａｓｓｙ６０の上記コネクタがそれぞれ開口部１２２及び１２３の領域内に配置される。
【００２２】
また、収容ケース１２０には、正面壁１２０ａと下壁１２０ｃとの双方にわたって形成された空気穴１２１が設けられている。
この空気穴１２１のうち正面壁１２０ａに形成された部分は、液晶Ａｓｓｙ６０が内部に収容されたときに、液晶Ａｓｓｙ６０の背面から発せられる熱をできる限り収容ケース１２０の背面側に逃がすためのものである。また、空気穴１２１のうち下壁１２０ｃに形成された部分は、制御装置５０内に空気を取り込むときの吸気口となるものである。
【００２３】
さらにまた、図３及び図４（Ｂ）に示すように、上壁１２０ｂ及び正面壁１２０ａには、両者にまたがるように、複数の長穴から構成された空気穴１２５が形成されている。
さらに、図３に示すように、上壁１２０ｂには、略Ｕ形に切り欠いた切欠き開口部１２６が形成されている。この切欠き開口部１２６は、液晶Ａｓｓｙ６０が内部に収容されたとときに、液晶Ａｓｓｙ６０の上面のファン穴６２ａを露出させるように形成されており、制御装置５０の排気口となるものである。
【００２４】
左側壁１２０ｄ及び右側壁１２０ｅには、それぞれ２箇所に左側壁１２０ｄ及び右側壁１２０ｅに垂直な壁状の取付部１２４が設けられている。さらに、この取付部１２４は、略Ｕ形に形成されたリブ部１２４ａと、このリブ部１２４ａによって囲まれる領域の略中心位置に形成された穴１２４ｂとを備える。取付部１２４は、制御装置５０をスロットマシン１のフロントマスク部２０に取り付けるためのものである。
【００２５】
また、上壁１２０ｃ及び下壁１２０ｃの内側には、それぞれ２箇所に液晶Ａｓｓｙ取付部１２７が形成されている。液晶Ａｓｓｙ取付部１２７は、図３に示すように、略Ｕ形の領域を有するとともに、その領域においては、高さを一段低くしたものである。また、図３に示すように、上壁１２０ｂ側の液晶Ａｓｓｙ取付部１２７には、穴１２８ａが形成されている。さらにまた、下壁１２０ｃ側の液晶Ａｓｓｙ取付部１２７には、図３に示すように、正面壁１２０ａから液晶Ａｓｓｙ取付部１２７の領域内にまで延在する長穴１２８ｂが形成されている。
【００２６】
さらに、左側壁１２０ｄ及び右側壁１２０ｅの内側には、液晶Ａｓｓｙ６０をガイドするためのガイドリブ１２９が形成されている。また、左側壁１２０ｄ及び右側壁１２０ｅの内側であって各ガイドリブ１２９の近傍には、断面が略半小判形をなすボス１３０が設けられている。さらにまた、このボス１３０には、正面壁１２０ａの裏面側から開口されたネジ穴１３０ａが形成されている。さらに、正面壁１２０ａの裏面側においては、ボス１３０の領域の周囲を囲むように、略Ｕ形の領域の高さを一段低くした段差部１３１が形成されている。
【００２７】
また、正面壁１２０ａの裏面側において、４角部には、裏面側に突出するボス１３２（本発明における収容体封止部の一部を構成するもの）が形成されている。このボス１３２の先端部は、その先端部以外の外径より径の小さい嵌合部１３２ａが設けられている。さらにまた、ボス１３２には、ネジ穴１３２ｂが形成されている。
【００２８】
（制御ベース（収容体））
図５は、制御ベース１８０、サブ制御基板１５０、及び制御カバー２１０を背面側から示す外観斜視図である。また、図６は、制御ベース１８０及び制御カバー２１０を示す図であり、（Ａ）は側面図、（Ｂ）は正面図を示す。
制御ベース１８０は、板状の正面壁１８０ａと、その外周に形成された外周壁１８０ｂとを備える。
【００２９】
正面壁１８０ａには、２つの開口部１８１及び１８２が形成されている。これらの開口部１８１及び１８２は、収容ケース１２０の開口部１２２及び１２３に対応するものであり、収容ケース１２０の背面に制御ベース１８０が重なり合わせられると、収容ケース１２０の開口部１２２及び１２３とそれぞれ重なり合うように配置されている。
【００３０】
また、正面壁１８０ａの３箇所の角部には、穴１８４が形成されている。この穴１８４は、収容ケース１２０の背面に設けられたボス１３２を貫通可能な大きさの径を有している。
さらにまた、正面壁１８０ａの左右両側外縁近傍には、４つの段差部１８３が形成されている。段差部１８３は、円形状の領域を有するとともに、図３に示すように、収容ケース１２０側においては高さが一段高く、かつ図５に示すように、サブ制御基板１５０側においては高さが一段低く形成されている。さらに、この段差部１８３の中心部には、図６（Ｂ）に示すように、穴１８３ａが形成されている。
【００３１】
制御ベース１８０の外周壁１８０ｂのうち、図５中、上側には、２箇所にフック部１８７が形成されている。このフック部１８７は、図３、図５、及び図６（Ａ）に示すように、上方から見て略凹状体をなすとともに、側面から見て略Ｌ形をなす基体１８７ａを備え、外周壁１８０ｂに連結されている。さらにフック部１８７の先端部には、凸状の爪部１８７ｂが設けられている。フック部１８７は、外周壁１８０ｂとの連結部を支点としてある程度のたわみが可能に形成されている。
また、外周壁１８０ｂにおいて、フック部１８７の内側近傍には、凹状に形成された締結部１８６が設けられている。
【００３２】
さらに、外周壁１８０ｂのうち、図５中、下側には、蝶番部１８５が設けられている。蝶番部１８５は、図６に示すように、略円筒状に形成された軸部１８５ａと、この軸部１８５ａの内側に形成され、２箇所を略長方形状に開口させた開口部１８５ｂとを備える。蝶番部１８５は、制御カバー２１０との連結に用いられるものである。
【００３３】
なお、正面壁１８０ａには、図５及び図６に示すように、円筒状のガイド部１８８及び１８９が所定位置に設けられている。これらのガイド部１８８及び１８９は、サブ制御基板１５０が制御ベース１８０及び制御カバー２１０の内部に収容されたときに、サブ制御基板１５０と所定の間隙を隔ててサブ制御基板１５０の下面に位置し、サブ制御基板１５０が上面から押されたときに、一定以上のたわみを防止するためのものである。特に、ガイド部１８９は、サブ制御基板１５０の制御ＲＯＭ１５２（後述）が実装された部分のほぼ真下に位置するように設けられている。
【００３４】
（サブ制御基板（演出制御機器））
サブ制御基板１５０は、本発明における、遊技中の演出を制御するための演出制御機器に相当するものである。本実施形態におけるサブ制御基板１５０は、遊技中における演出を制御する基板であって、サウンドの出力、ランプ類の点灯、液晶Ａｓｓｙ６０による画像表示等の制御を行うものであり、上述したメイン制御基板３０６と同様に、ＣＰＵ、ＲＯＭ、及びＲＡＭ等を備えている。なお、上述のメイン制御基板３０６は、遊技全体を統括制御するものであるが、サブ制御基板１５０は、メイン制御基板３０６の下位に属する基板であり、演出の全体の制御を担当する制御基板である。
サブ制御基板１５０には、図３及び図５に示すように、４角部に取付用の穴１５１が形成されている。
【００３５】
（制御カバー（収容体））
制御カバー２１０は、サブ制御基板１５０の上面側を覆うカバーであり、サブ制御基板１５０側が開口された、略箱形に形成されている。
ここで、上述の制御ベース１８０及び制御カバー２１０は、本発明における収容体に相当するものであり、内部に演出制御機器としてのサブ制御基板１５０を収容するためのものである。
制御カバー２１０には、上壁２１０ｂと正面壁２１０ａとの双方にわたるように、及び正面壁２１０ａと下壁２１０ｃとの双方にわたるように、複数の長穴から構成された空気穴２１１及び２１２がそれぞれ形成されている。
【００３６】
また、正面壁２１０ａには、断面が凹状に形成されるとともにサブ制御基板１５０側に凸となったガイド部２１３が形成されている。このガイド部２１３は、その先端がサブ制御基板１５０に実装される制御ＲＯＭ１５２上に位置するように形成されている。また、正面壁２１０ａには、２箇所に、封止部２１７が設けられている。この封止部２１７については後述する。
【００３７】
また、図５及び図６に示すように、制御カバー２１０の上壁２１０ｂ、右側壁２１０ｅ、下壁２１０ｃ、及び左側壁２１０ｄには、それぞれ凹状に切り欠いた切欠き部２１８、２１９、２２０、及び２２１が形成されている。これらの切欠き部２１８〜２２１は、サブ制御基板１５０のコネクタ類を露出させ、サブ制御基板１５０のコネクタに接続されるハーネスを、制御カバー２１０外に出すためのものである。
【００３８】
また、制御カバー２１０の下壁２１０ｃには、２箇所に、上述の制御ベース１８０の蝶番部１８５と嵌合する蝶番部２１４が設けられている。蝶番部２１４は、図６に示すように、一定間隔を隔てて配置されるとともに側面から見て円弧状に形成された２つの支持部２１４ａと、正面から見て２つの支持部２１４ａ間に配置されたリブ状の支持部２１４ｂとから構成されている。これらの支持部２１４ａ及び２１４ｂにより、蝶番部２１４には、側面から見て円筒状の空隙が形成されており、この部分に制御ベース１８０の蝶番部１８５の軸部１８５ａが入り込み可能となっている。
【００３９】
さらに、上壁２１０ｂには、２つの突起部２１６が設けられている。突起部２１６は、側面から見て略直角三角形状に形成されている。突起部２１６は、制御ベース１８０のフック部１８７に設けられた爪部１８７ｂと係合するためのものである。
また、この突起部２１６の内側近傍であって、制御ベース１８０の締結部１８６に対応する位置、すなわち制御ベース１８０と制御カバー２１０とが嵌合したときに、制御ベース１８０の締結部１８６に重なり合う位置には、締結部１８６と同様の締結部２１５が設けられている。
【００４０】
次に、制御装置５０の組立てについて説明する。図７は、組立後の制御装置５０を示す側面図（一部断面図）である。また、図８は、組立後の制御装置５０を底面側から見た図（一部断面図）である。さらにまた、図９は、組立後の制御装置５０を示す正面図であって、液晶Ａｓｓｙ６０を除いて図示したものである。以下、図７〜図９を適宜参照しつつ、制御装置５０の組立てについて説明する。
【００４１】
先ず、図３に示す方向で、液晶Ａｓｓｙ６０が収容ケース１２０内に収容される。液晶Ａｓｓｙ６０の上面及び下面には、上述したように、ボス６４が突出している。
そして、液晶Ａｓｓｙ６０を収容ケース１２０内に収容する際には、液晶Ａｓｓｙ６０のボス６４が収容ケース１２０の上壁１２０ｂ及び下壁１２０ｃにそれぞれ形成された液晶Ａｓｓｙ取付部１２７内に入り込むようにする。
【００４２】
液晶Ａｓｓｙ６０を収容ケース１２０内に挿入する（スライド移動させる）と、ボス６４が液晶Ａｓｓｙ取付部１２７内に入り込んだ状態で移動され、ボス６４が液晶Ａｓｓｙ取付部１２７の一番奥まで到達した位置で停止する。
この位置が、液晶Ａｓｓｙ６０の収容ケース１２０内での取付位置となる。また、液晶Ａｓｓｙ６０の左右両側面は、収容ケース１２０の左側壁１２０ｄ及び右側壁１２０ｅにそれぞれ設けられたガイドリブ１２９により支持される（図８参照）。
【００４３】
よって、液晶Ａｓｓｙ６０を収容ケース１２０に取り付けるための位置決めを行うときには、ボス６４が液晶Ａｓｓｙ取付部１２７内に入り込むようにするとともに、液晶Ａｓｓｙ６０を収容ケース１２０内に押し込むようにスライド移動させるだけで良いので、液晶Ａｓｓｙ６０の収容ケース１２０への位置決めを容易に行うことができる。
【００４４】
さらに、ボス６４が液晶Ａｓｓｙ取付部１２７の一番奥まで到達すると、液晶Ａｓｓｙ取付部１２７に形成された穴１２８ａ及び長穴１２８ｂと、ボス６４に形成されたネジ穴とが重なり合う。よって、４箇所ともに、穴１２８ａ及び長穴１２８ｂからネジを挿入し、ボス６４のネジ穴にネジ止めすれば、液晶Ａｓｓｙ６０は、収容ケース１２０に固定される（図８参照）。
【００４５】
液晶Ａｓｓｙ６０が収容ケース１２０に収容されたときには、液晶Ａｓｓｙ６０のファン穴６２ａは、収容ケース１２０の切欠き開口部１２６によって外部に露出する。また、液晶Ａｓｓｙ６０の下面側の空気穴６５（図８）は、収容ケース１２０の空気穴１２１によって露出する。
さらにまた、液晶Ａｓｓｙ６０の前端の一部は、収容ケース１２０から突出した状態となり、液晶Ａｓｓｙ６０に設けられた空気穴６３は、収容ケース１２０外に露出する。図８では、液晶Ａｓｓｙ６０の下面に設けられた空気穴６３が収容ケース１２０外に露出した状態を示している。
【００４６】
さらに、図３に示す方向で、収容ケース１２０の背面に制御ベース１８０が取り付けられる（現時点では、サブ制御基板１５０及び制御カバー２１０は、未だ取り付けられていない）。
収容ケース１２０の背面に制御ベース１８０が重なり合わせられると、収容ケース１２０の背面に設けられている４つのボス１３２のうち、３つのボス１３２は、制御ベース１８０の３つの穴１８４を貫通する。また、他の１つのボス１３２は、制御ベース１８０の開口部１８１を貫通する。さらに、収容ケース１２０側の高さが一段低く形成された段差部１３１に、制御ベース１８０側の高さが一段高く形成された段差部１８３が入り込む（図７参照）。
【００４７】
以上により、制御ベース１８０は、収容ケース１２０に対して位置決めされる。また、収容ケース１２０の開口部１２２と制御ベース１８０の開口部１８１、及び収容ケース１２０の開口部１２３と制御ベース１８０の開口部１８２が重なり合う。よって、液晶Ａｓｓｙ６０の背面に設けられているコネクタは、制御ベース１８０の裏面側から露出する。
【００４８】
そして、図７に示すように、制御ベース１８０の段差部１８３に形成された穴１８３ａからネジＳを挿入し、収容ケース１２０のボス１３０に形成されたネジ穴１３０ａにネジ止めすれば、制御ベース１８０が収容ケース１２０にネジ止めされる。
次に、制御ベース１８０の裏面側から、サブ制御基板１５０が図３に示す方向で取り付けられる。収容ケース１２０に取り付けられた制御ベース１８０上にサブ制御基板１５０が載置されると、制御ベース１８０から突出した、収容ケース１２０の４つのボス１３２と、サブ制御基板１５０に形成された穴１５１とが重なり合う。
【００４９】
ここで、ボス１３２の嵌合部１３２ａは、穴１５１を貫通するが、ボス１３２の嵌合部１３２ａ以外の部分は穴１５１を貫通しない。これにより、サブ制御基板１５０は、ボス１３２及び嵌合部１３２ａによって支持され、位置決めされる。そして、図５中、サブ制御基板１５０の下側の２箇所の穴１５１からネジを挿入し、ボス１３２に形成されたネジ穴１３２ｂによってネジ止めすれば、サブ制御基板１５０が固定される。
【００５０】
次いで、図３に示す方向で、制御カバー２１０が取り付けられる。この取付けは、制御ベース１８０の蝶番部１８５と制御カバー２１０の蝶番部２１４とを嵌合させることにより行う。図６において、制御ベース１８０の蝶番部１８５の開口部１８５ｂに、制御カバー２１０の蝶番部２１０の支持部２１４ａを挿入する。そして、蝶番部１８５の軸部１８５ａが、蝶番部２１０の支持部２１４ａ及び２１４ｂにより回転可能に支持されるように嵌合させる。
これにより、制御カバー２１０は、蝶番部２１４を支点として、制御ベース１８０に対して回転可能に支持される（図７参照）。
【００５１】
制御カバー２１０を制御ベース１８０に対して取り付けた後、制御ベース１８０に対して制御カバー２１０を回動させ、図７に示すように、制御カバー２１０を制御ベース１８０に重なり合うようにする。これにより、制御ベース１８０のフック部１８７に設けられた爪部１８７ｂが制御カバー２１０の突起部２１６に当接するが、さらに制御カバー２１０を回動させると、フック部１８７がたわみ、フック部１８７の爪部１８７ｂが突起部２１６を乗り越え、図７に示すように、爪部１８７ｂが突起部２１６の後方に配置される。これにより、フック部１８７と突起部２１６とが係合する。
【００５２】
また、上述のように制御カバー２１０が固定されると、図７に示すように、制御カバー２１０に設けられたガイド部２１３は、サブ制御基板１５０上に実装された制御ＲＯＭ１５２に近接する。これにより、例えば制御カバー２１０に形成された切欠き部２１８、２１９、２２０、及び２２１等から棒等を挿入し、制御ＲＯＭ１５２を抜こうとしても、制御カバー２１０が取り付けられた状態では、制御ＲＯＭ１５２を抜くことができない。したがって、制御カバー２１０の不正な開放を防止しておけば、制御ＲＯＭ１５２が正規品以外のものに取り替えられてしまうことを防止することができる。
【００５３】
（収容体封止部）
次に、制御カバー２１０の背面側から封止部２１７にネジＳを挿入し、サブ制御基板１５０の穴１５１を貫通させて、制御カバー２１０の封止部２１７と収容ケース１２０のボス１３２とを連結する（図７参照）。
すなわち、制御カバー２１０の封止部２１７、収容ケース１２０のボス１３２、及びネジＳは、本発明における収容体封止部に相当するものであり、収容体を封止するとともに、収容体を開放するための封止解除操作が可能なものである。
【００５４】
図１０は、制御カバー２１０の封止部２１７と、サブ制御基板１５０、収容ケース１２０のボス１３２との位置関係を詳細に示す断面図である。
図１０に示すように、制御カバー２１０の封止部２１７は、制御カバー２１０の背面側（図１０中、上側）が開口されるとともに、３つの筒部２１７ａ、２１７ｂ、及び２１７ｃが連結されたものである。外径は、筒部２１７ａ、２１７ｂ、２１７ｃの順に小さく形成されている。
筒部２１７ａは、所定の深さを有して中空筒状に形成されたものである。筒部２１７ａは、外径及び内径ともに略円形状に形成されている。
【００５５】
図１１は、封止部２１７を詳細に示す図であり、（ａ）は斜視図、（ｂ）は、（ａ）中、Ａ−Ａ断面を示す矢視断面図、（ｃ）は、（ａ）中、Ｂ−Ｂ断面を示す矢視断面図である。
図１１に示すように、筒部２１７ｂの外形は、略円筒形状に形成されている。また、筒部２１７ｂの外周面の対向する２箇所には、筒部２１７ｂの中心軸方向に沿って所定幅で開口された開口部２１７ｄが形成されている。また、筒部２１７ｂの内面は、Ｄ状内面２１７ｆ（一部が円弧面、一部が平坦面）に形成されている。
【００５６】
さらに、筒部２１７ｃは、外形が略小判形をなすとともに、内形は略円筒形状に形成されている。さらに、図１０及び図１１に示すように、筒部２１７ｃの底部には、ネジを通すための穴２１７ｅが形成されている。
【００５７】
図１０に示すように、制御カバー２１０が閉じられたときには、制御カバー２１０の封止部２１７のうち、筒部２１７ｃに形成された穴２１７ｅが、サブ制御基板１５０の穴１５１（及び収容ケース１２０のボス１３２）上に位置する。そして、封止部２１７内にネジＳを挿入し、封止部２１７の穴２１７ｅ及びサブ制御基板１５０の穴１５１を貫通させて、収容ケース１２０のボス１３２のネジ穴１３２ｂにネジ止めする。
これにより、制御カバー２１０、サブ制御基板１５０及び収容ケース１２０が一体で固定される。
【００５８】
（キャップ）
そして、このネジ止め後は、キャップ２４０を封止部２１７内に装着し、ネジＳを覆うようにする。キャップ２４０は、本発明における封止解除阻止部材に相当するものであり、収容体封止部の封止解除操作を阻止するように収容体封止部を覆うとともに、外部からの操作によって取り外すことができないように装着され、収容体封止部を覆った部分を痕跡が残るように変形させなければ収容体封止部の封止解除操作を行うことができないように形成されたものである。
【００５９】
図１２は、キャップ２４０を示す外観斜視図である。キャップ２４０は、樹脂材料から形成され、フランジ部２４１と、筒部２４２とを備える。フランジ部２４１は、略円板状に形成されているとともに、上面（図１２中、左前側の面）の略中央には、略正方形状の領域を有する薄肉部２４１ａが設けられている。薄肉部２４１ａは、フランジ部２４１の他の部分よりも肉厚を薄くしたものであり、例えばドライバーの先端等で強く突き刺すこと等により破壊される程度の強度を有している。
【００６０】
筒部２４２は、中空筒状に形成されるとともに、上述した封止部２１７の筒部２１７ｂの内面形状に対応して、外面がＤ状外面２４２ｃ（一部が円弧面、一部が平坦面）に形成されている。すなわち、キャップ２４０の筒部２４２が封止部２１７の筒部２１７ｂ内に嵌合可能なように形成されている。
また、筒部２４２の外周面には、嵌合突起２４２ａが設けられている。嵌合突起２４２ａは、図１２では１つのみが見えるように図示されているが、対称位置にも設けられている。嵌合突起２４２ａは、フランジ部２４１側に向かって外方向に厚みが増すように形成されている。また、嵌合突起２４２ａの横幅（筒部２４２の円周方向の幅）は、封止部２１７の筒部２１７ｂに形成された開口部２１７ｄの横幅（筒部２１７ｂの円周方向の幅）よりやや小さく形成されている。
【００６１】
また、図１３は、キャップ２４０’を示す外観斜視図であり、図１２と異なる形態例を示すものである。図１３において、嵌合突起２４２ａの周囲部には、嵌合突起２４２ａの根元部を残して開口部２４２ｂが略凹状に形成されている。これにより、キャップ２４０’の場合には、嵌合突起２４２ａは、その弾性力によって根元部を支点としてたわみが可能になっている。
【００６２】
図１４は、封止部２１７にキャップ２４０が嵌合された状態を示す断面図である。キャップ２４０を封止部２１７に挿入するときには、キャップ２４０の筒部２４２の外形と、封止部２１７の筒部２１７ｂの内形とが合致する位置で、更に、キャップ２４０のＤ状外面２４２ｃと封止部２１７のＤ状内面２１７ｆとの形状面が対応するように挿入する。これにより、キャップ２４０は、位置決めされた状態で封止部２１７内に挿入される。
キャップ２４０が封止部２１７内に挿入されると、キャップ２４０の嵌合突起２４２ａは、筒部２１７ａと２１７ｂとの段差部分を乗り越え、筒部２１７ｂに形成された開口部２１７ｄ内に入り込む。
【００６３】
そして、キャップ２４０の嵌合突起２４２ａの全てが開口部２１７ｄ内に入り込むと、キャップ２４０のフランジ部２４１は、筒部２１７ａと２１７ｂとの段差部分に当接する。また、この状態では、図１４に示すように、キャップ２４０の嵌合突起２４２ａの外端は、筒部２１７ｂの内壁より外側に位置する。これにより、キャップ２４０は、一旦封止部２１７内に挿入されると、外部からの操作によって取り外す（引き抜く）ことができないように装着される。さらに、このキャップ２４０を硬質で曲げ強さの高い性質を持つ材料（例えばポリカーボネート等）で製造すれば、より取り外しを困難にさせることが可能となる。また、キャップ２４０が封止部２１７内に装着されても、キャップ２４０は、制御カバー２１０の背面から突出することはなく、制御カバー２１０の背面は略平坦面である。
【００６４】
図１４に示すように、制御カバー２１０、サブ制御基板１５０、及び収容ケース１２０のボス１３２が一体でネジＳにて固定された後、キャップ２４０が封止部２１７内に装着されると、ネジＳのネジ頭はキャップ２４０によって覆われるので、ネジＳの解除操作を行うことができなくなる。これにより、制御カバー２１０を開放することができなくなるので、サブ制御基板１５０の制御ＲＯＭ１５２が不正に交換されること等を防止することができる。
【００６５】
また、サブ制御基板１５０の修理・保守が必要な場合には、ドライバーＤの先端でキャップ２４０の薄肉部２４１ａを強く突き刺す。これにより、薄肉部２４１ａが破壊（変形）され、図１４に示すように、ドライバーＤは、キャップ２４０の内部を通り抜けることが可能となる。したがって、ドライバーＤの先端を、封止部２１７の筒部２１７ｃを通してネジＳのネジ頭まで到達させることができるので、ネジＳの締結を解除して、制御カバー２１０を開放することができるようになる。
一方、キャップ２４０の薄肉部２４１の状態を目視により判別することで（破壊されているか否かを見ることで）、ネジＳの解除操作が行われたか否かを容易に判別することができる。また、破壊、変形時に白化を起こす樹脂製品等、破壊、変形履歴が明らかに認識できる材質を使用するとなお良い。
【００６６】
なお、上述のようにキャップ２４０の薄肉部２４１ａを破壊し、サブ制御基板１５０の修理・保守を行った後は、新たな制御カバー２１０を用いて、上述のように再度、制御カバー２１０をネジ止めし、キャップ２４０を装着すれば良い。このようにサブ制御基板１５０の修理・保守の際にキャップ２４０と制御カバー２１０を交換させることにより、不正行為の実施を困難にする事が可能となる。また、キャップ２４０の代わりに、図１３で示したキャップ２４０’を用いれば、制御カバー２１０を取り外した後、キャップ２４０の嵌合突起２４２ａと、封止部２１７との嵌合を解除することが容易となる。
【００６７】
キャップ２４０’の嵌合突起２４２ａは、多少のたわみが可能に形成されているので、封止部２１７の開口部２１７ｄから露出している嵌合突起２４２ａを押す等してたわませれば、薄肉部２４１ａを破壊したキャップ２４０’のみを、制御カバー２１０から取り外すことが可能である。よって、修理・保守後は、キャップ２４０’のみを交換すれば、制御カバー２１０については、再度の利用が可能となる。
また、多少のたわみを可能にすることより、キャップ２４０の嵌合突起２４２ａと封止部２１７の開口部２１７ｄの嵌合調整を簡易にする事より、金型製造を簡易化することができる。
【００６８】
また、制御カバー２１０、サブ制御基板１５０及び収容ケース１２０のボス１３２が一体でネジＳにて固定されたときには、制御ベース１８０の締結部１８６と、制御カバー２１０の締結部２１５とが隣接するように配置される。したがって、図９に示すように、締結部１８６及び２１５の双方に締結バンドＢを通して、両者を締結することも可能である。これにより制御ベース１８０と制御カバー２１０との開放をさらに困難にすることができる。
【００６９】
制御装置５０は、図２に示したように、フロントマスク部２０の裏面側に取り付けられる。図７では、取付部１２４に防振ゴム２４が嵌合された状態を示すとともに、フロントマスク部２０の裏面側に設けられたボス２５を併せて図示している。また、図９では、取付部１２４に防振ゴム２４が嵌合された状態を図示している。
防振ゴム２４は、図７に示すように、取付部１２４のリブ部１２４ａの内部に配置されるとともに穴１２４ｂ内に入り込み可能な形状（外径の異なる２段の筒状体からなる形状）をなし、中心部に穴２４ａが形成されたものである。
【００７０】
フロントマスク部２０の開口部２２から、制御装置５０の液晶Ａｓｓｙ６０の前面が露出するように制御装置５０をフロントマスク部２０の裏面側に配置したときに、フロントマスク部２０の裏面側において、収容ケース１２０の取付部１２４の略Ｕ形に形成されたリブ部１２４ａに対応する位置には、ボス２５が形成されている。なお、図示しないが、ボス２５にはネジ穴が形成されている。
そして、防振ゴム２４を介して、図７中、左側から取付部１２４の穴１２４ｂ（防振ゴム２４の穴２４ａ）にネジ（図示せず）を挿入し、ボス２５にネジ止めすれば、制御装置５０がフロントマスク部２０に固定される。
【００７１】
なお、防振ゴム２４を用いることなく制御装置５０をフロントマスク部２０にネジ止めすることも可能であるが、防振ゴム２４を用いることにより、スロットマシン１からの振動を、制御装置５０に伝わりにくくすることができる。
【００７２】
続いて、他の実施形態（変形例）について説明する。
図９では、制御ベース１８０の正面壁１８０ａに、空気穴１９０を形成した例を２点鎖線で図示している。空気穴１９０は、半小判形の開口部を複数（本実施形態では３つ）並設したものから構成されている。
液晶Ａｓｓｙ６０や、サブ制御基板１５０のＩＣ（図示せず）等から、熱が発せられるが、これらの熱を効率良く外部に逃がすためには、適当な位置に空気穴を形成することが好ましい。しかし、空気穴の数を多くしたり、開口面積を大きくすると、その空気穴から棒等を挿入し、サブ制御基板１５０に対して不正な行為がなされるおそれがある。そこで、空気穴は、必要最小限に形成することが好ましい。
【００７３】
図９では、制御ベース１８０の正面壁１８０ａのうち、収容ケース１２０の空気穴１２１が形成された領域内に配置されるように、空気穴１９０を形成したものである。このように形成すれば、空気穴１９０の形成により制御装置５０の外面の開口面積に変化はない。また、収容ケース１２０の空気穴１２１と制御ベース１８０の空気穴１９０とを重なるように配置することで、収容ケース１２０側と制御ベース１８０側とで空気の流通がさらに良くなり、液晶Ａｓｓｙ６０の背面から発せられる熱をより効率的に背面側に逃がすことができる。
【００７４】
また、図８では、制御ベース１８０の空気穴１９０に対向する液晶Ａｓｓｙ６０の背面側に、空気穴６６を形成した例を図示している。空気穴６６は、例えば制御ベース１８０に形成した空気穴６６と略同一形状に形成されたものである。制御ベース１８０に空気穴１９０を形成するとともに、この空気穴１９０と対向する液晶Ａｓｓｙ６０の背面側に空気穴６６を形成すれば、液晶Ａｓｓｙ６０の内部に備えられたファンの力による空気穴６６の負圧を利用して収容ケース１２０内の空気をより効率よく循環でき、液晶Ａｓｓｙ６０と、収容ケース１２０、及び制御ベース１８０との間で、さらに空気の流通を図ることができる。
【００７５】
ここで、液晶Ａｓｓｙ６０の空気穴６６と、制御ベース１８０の空気穴１９０との間には、収容ケース１２０の空気穴１２１が介在しているため、空気穴６６と空気穴１９０との間は、実質的に空洞となるので、空気の流通が妨げられることはない。よって、制御装置５０の外面に露出する空気穴を形成することなく、空気の流通を図り、冷却効果を高めることができる。
【００７６】
以上、本発明の一実施形態について説明したが、本発明は、上述した実施形態に限定されることなく、例えば以下のような種々の変形が可能である。
（１）本実施形態の制御装置５０は、遊技機の１つとしてスロットマシン１に適用した例を示したが、スロットマシン１に限らず、弾球遊技機や、アレンジボール、雀球遊技機等の種々の遊技機に広く適用することができる。
【００７７】
（２）本実施形態では、演出制御機器として、サブ制御基板１５０を例に挙げたが、これに限られることなく、遊技中における演出を制御するための機器であれば、いかなる演出制御機器であっても良い。例えば、本実施形態で示した液晶Ａｓｓｙ６０や、液晶等の画像を制御する画像制御基板等が挙げられる。
【００７８】
（３）本発明における封止解除阻止部材は、演出制御機器を収容体に収容したものに限られることなく、メイン制御基板等、セキュリティ性を確保すべき制御機器を収容したものに広く適用することが可能である。例えば、本実施形態のメイン制御基板３０６は、ケース３０７内に収容した後、ケース３０７をかしめているが、ケース３０７についても、封止部２１７等を設けてキャップ２４０を装着することにより、本発明を適用することができる。
【００７９】
【発明の効果】
本発明によれば、封止解除阻止部材が変形しているか否かを見ることで、収容体封止部の封止解除操作を行ったか否か（収容体を開放したか否か）を確実に判別することができる。また、収容体封止部の封止解除操作を行う必要があるとき（修理・保守時に収容体を開放する必要があるとき）には、封止解除阻止部材を痕跡が残るように変形させることにより、封止解除操作を容易に行うことができる。
【図面の簡単な説明】
【図１】本発明による遊技機の一実施形態であるスロットマシン全体を示す前面の正面図である。
【図２】図１中、スロットマシンのフロントマスク部を開放し、筐体内部が見えるように図示した正面図である。
【図３】制御装置を分解して示す外観斜視図である。
【図４】収容ケースをより詳細に示す図であり、（Ａ）は側面図、（Ｂ）は正面図を示す。
【図５】制御ベース、サブ制御基板、及び制御カバーを背面側から示す外観斜視図である。
【図６】制御ベース及び制御カバーを示す図であり、（Ａ）は側面図、（Ｂ）は正面図を示す。
【図７】組立後の制御装置を示す側面図（一部断面図）である。
【図８】組立後の制御装置を底面側から見た図（一部断面図）である。
【図９】組立後の制御装置を示す正面図であって、液晶Ａｓｓｙを除いて図示したものである。
【図１０】制御カバーの封止部と、サブ制御基板、収容ケースのボスとの位置関係を示す断面図である。
【図１１】封止部を詳細に示す図であり、（ａ）は斜視図、（ｂ）は、（ａ）中、Ａ−Ａ断面を示す矢視断面図、（ｃ）は、（ａ）中、Ｂ−Ｂ断面を示す矢視断面図である。
【図１２】キャップを示す外観斜視図である。
【図１３】キャップを示す外観斜視図であり、図１２と異なるキャップの形態例を示すものである。
【図１４】封止部にキャップが嵌合された状態を示す断面図である。
【符号の説明】
１　スロットマシン
１０　筐体
２０　フロントマスク部
２１　表示窓
２２、２３　開口部
２４　防振ゴム
２５　ボス
３０　基体部
５０　制御装置
６０　液晶アッセンブリ（液晶Ａｓｓｙ）
６１　液晶本体
６２　液晶ケース
６２ａ　ファン穴
６３　空気穴
６４　ボス
６５　空気穴
６６　空気穴
１２０　収容ケース（１２０ａ　正面壁、１２０ｂ　上壁、１２０ｃ　下壁、１２０ｄ　左側壁、１２０ｅ　右側壁）
１２１　空気穴
１２２、１２３　開口部
１２４　取付部
１２４ａ　リブ部
１２４ｂ　穴
１２５　空気穴
１２６　切欠き開口部
１２７　液晶Ａｓｓｙ取付部
１２８ａ　穴
１２８ｂ　長穴
１２９　ガイドリブ
１３０　ボス
１３０ａ　ネジ穴
１３１　段差部
１３２　ボス（収容体封止部）
１３２ａ　嵌合部
１３２ｂ　ネジ穴
１５０　サブ制御基板（演出制御機器）
１５１　穴
１８０　制御ベース（収容体）（１８０ａ　正面壁、１８０ｂ　外周壁）
１８１、１８２　開口部
１８３　段差部
１８３ａ　穴
１８４　穴
１８５　蝶番部
１８５ａ　軸部
１８５ｂ　開口部
１８６　締結部
１８７　フック部
１８７ａ　基体
１８７ｂ　爪部
１８８、１８９　ガイド部
１９０　空気穴
２１０　制御カバー（収容体）（２１０ａ　正面壁、２１０ｂ　上壁、２１０ｃ　下壁、２１０ｄ　左側壁、２１０ｅ　右側壁）
２１１、２１２　空気穴
２１３　ガイド部
２１４　蝶番部
２１４ａ、２１４ｂ　支持部
２１５　締結部
２１６　突起部
２１７　封止部（収容体封止部）
２１７ａ、２１７ｂ、２１７ｃ　筒部
２１７ｄ　開口部
２１７ｅ　穴
２１７ｆ　Ｄ状内面
２１８、２１９、２２０、２２１　切欠き部
２４０、２４０’　キャップ（封止解除阻止部材）
２４１　フランジ部
２４１ａ　薄肉部
２４２　筒部
２４２ａ　嵌合突起
２４２ｂ　開口部
２４２ｃ　Ｄ状外面
３０１　スタートスイッチ
３０２　ストップスイッチ
３０３　メダル投入口
３０４　メダル受け皿
３０５　リールユニット
３０５ａ　リール
３０６　メイン制御基板
３０７　ケース
３０８　メダル払出し装置
３０９　電源ユニット
３１０　スピーカ
Ｂ　締結バンド
Ｄ　ドライバー
Ｓ　ネジ
【図１】
2004113526.tif 000003
【図２】
2004113526.tif 000004
【図３】
2004113526.tif 000005
【図４】
2004113526.tif 000006
【図５】
2004113526.tif 000007
【図６】
2004113526.tif 000008
【図７】
2004113526.tif 000009
【図８】
2004113526.tif 000010
【図９】
2004113526.tif 000011
【図１０】
2004113526.tif 000012
【図１１】
2004113526.tif 000013
【図１２】
2004113526.tif 000014
【図１３】
2004113526.tif 000015
【図１４】
2004113526.tif 000016